(57)【要約】      （修正有）【課題】コップやワイングラスを安定して保持することができることは勿論のこと、自分の所有物であることが即座に判り、テーブルに安定して置くことができる構成を有する飲食物載置用トレイ及びその製造方法の提供。【解決手段】飲食物載置用トレイは、グラス状容器保持部８、皿用部２及び少なくとも一つのトレイ保持孔１０を有する飲食物載置用トレイにおいて、前記グラス状容器保持部８はトレイ表面に有する筒状部からなり、前記皿用部２には食べ物載置用凹部を有し、更に前記トレイ表面には名札支持部１３を有する。前記トレイの縁部には握り部２６、調味料載置部１４、箸置き部、スプーン又はフォーク置き部１１を有し、特に前記トレイはパルプモールド成形法やプラスチック成形法で製作する。【選択図】図１
2013233405.tif 000002
【特許請求の範囲】
【請求項１】
グラス状容器保持部、皿用部、調味料載置部、箸置き部及びスプーンまたはフォーク置き部から選択された少なくとも一種及び少なくとも一つのトレイ保持孔を有する飲食物載置用トレイであって、前記グラス状容器保持部はトレイ表面に有する筒状部からなり、前記皿用部には食べ物載置用凹部を有し、更に前記トレイ表面には名札支持部を有することを特徴とする飲食物載置用トレイ。
【請求項２】
前記トレイ保持孔の近傍であって、かつ前記トレイの縁部には握り部を有することを特徴とする請求項１に記載の飲食物載置用トレイ。
【請求項３】
前記凹部の円周縁には対称的に略半円形凹部を有し、前記皿用部の凹部にはコースターが収納されていてもよいことを特徴とする請求項１又は請求項２に記載の飲食物載置用トレイ。
【請求項４】
前記皿用部の凹部には中央に円形孔を有し、該円形孔から外縁部へ延びる切込み溝を有するコースターの一種からなるワイングラス状容器支持部材が収納されていてもよいことを特徴とする請求項１乃至請求項３のいずれかに記載の飲食物載置用トレイ。
【請求項５】
前記トレイ表面には、更にグラス状容器保持部の近傍に位置する調味料載置部、グラス状容器保持部と右手用保持孔の付近に位置する箸置き部又は皿用部の右下方に位置するスプーンまたはフォーク置き部から選択された少なくとも一種を有することを特徴とする請求項１乃至請求項４のいずれかに記載の飲食物載置用トレイ。
【請求項６】
前記グラス状容器保持部の円筒部の側壁は空洞であることを特徴とする請求項１乃至請求項５のいずれかに記載の飲食物載置用トレイ。
【請求項７】
前記皿用部の形状は円形又は楕円形のいずれかであることを特徴とする請求項１乃至請求項６のいずれかに記載の飲食物載置用トレイ。
【請求項８】
前記グラス状容器保持部の形状は上部からみて円形であることを特徴とする請求項１乃至請求項７のいずれかに記載の飲食物載置用トレイ。
【請求項９】
前記トレイの形状は上部からみて円形又は楕円形のいずれかであることを特徴とする請求項１乃至請求項８のいずれかに記載の飲食物載置用トレイ。
【請求項１０】
前記名札支持部は名詞を挿入挟持する凹凸部を有することを特徴とする請求項１乃至請求項９のいずれかに記載の飲食物載置用トレイ。
【請求項１１】
前記トレイの材質は、金属、磁器、プラスチックス、これらと木質材との組合せ、木質材から選択された少なくともいずれかであることを特徴とする請求項１乃至請求項１０のいずれかに記載の飲食物載置用トレイ。
【請求項１２】
前記トレイは木質材からなり、かつ木質筒状体が固定されていることを特徴とする請求項１乃至請求項１０のいずれかに記載の飲食物載置用トレイ。
【請求項１３】
前記トレイはパルプモールド成形法によって成形することを特徴とする請求項１乃至請求項１０のいずれか又は請求項１２に記載の飲食物載置用トレイの形成法。
【請求項１４】
前記トレイの材質がプラスチックスである場合は、プラスチック成形法によって成形することを特徴とする請求項１乃至請求項１０のいずれかに記載の飲食物載置用トレイの形成法。
【発明の詳細な説明】
【技術分野】
【０００１】
本発明は、飲食物載置用トレイ及びその製造方法に関するものであり、更に詳しくは立食式パーティや簡易な飲食パーティなどにおいて使用される飲食物載置用トレイ及びその製造方法に関するものである。
【背景技術】
【０００２】
近年、立食式パーティ、飲食パーティや簡易な若者同士の会合などが多々行なわれており、このようなパーティでは、通常、磁器製の皿やコップ等が使用される。パーティ参加者は皿に食べものを載せ、食するばかりでなく飲料をコップ等の容器についで飲みながら会話をするのが通例であり、このような場合、同じ場所で会話をしている分には、食べ物を採った皿をもちながら食べ、また飲料時には皿の上に箸を置いてテーブルの上に置いておいたコップを持って飲料を飲み、これを繰り返しながら楽しく会話をすることが通常である。しかし、他にも大勢の仲間がおり、大勢の仲間と交流するためには場所を移動して彼らのところへ行く必要がある。そのような時、両手で皿やコップそして箸などを一緒にもって行かなければならず、非常に煩わしい思いをすることがしばしばある。また皿の食べ物を食べてからコップだけをもって移動するとなるとコップの飲み物は飲めるとしても食べ物を食べる機会がなかなかなく不便を感じることがしばしばある。更に元の場所に戻った場合テーブルに置いておいた皿や飲料容器が誰のものかわからなくなったりして困惑することがある。
【０００３】
また最近では、参加者に名札を首に掛ける方式が流行しているが、持っている皿やコップの陰に隠れて名札が見えないか又は非常に見づらいということも多い。このような状況下において、立食パーティ用皿が知られており、具体的には皿本体の外周面に飲物容器受具を一体的に成形しつつ皿本体を中央部にかつ飲物容器受具は左右各端縁部に1個づつの合計２個を配置した立食パーティ用皿が知られており、その一方の飲物容器受具に飲物容器を保持して他方の飲物容器受具に親指を通して皿をしっかりと支えることができる皿であり、この皿は一体成形により作られる（例えば、特許文献１参照）。また立食パーティ用トレイとして、トレイ本体に食べ物を載せる皿部とコップやワイングラスを保持するための狭い入口部のある湾状空間部を有するものを成形型が知られている（例えば、特許文献２参照）。
【先行技術文献】
【特許文献】
【０００４】
【特許文献１】実開平１−１７９５７２公報（実用新案登録請求の範囲、第１図〜第4図）
【特許文献２】実開平６−２３６公報（段落０００４〜段落０００６）
【発明の概要】
【発明が解決しようとする課題】
【０００５】
しかしながら、特許文献１には、皿本体の外周面に飲物容器受具の孔を左右各端縁部に１個ずつの合計２個を配置して一体的に成形した立食パーティ用皿からなり、コップやワイングラス等を飲物容器受具の孔にセットすることができ、また他方のセットされていない飲物容器受具の孔には親指を通して皿をしっかりと支えることができる立食パーティ用皿が記載されているが、飲物容器受具の孔縁部の傾斜とコップ乃至グラス（以下、コップという。）の傾斜が一致する場合はよいが、傾斜同士が一致しない場合には、孔縁部はコップの側面と面接触ではなく側面が線接触となるため、特に移動時などにおいて、特に酔いが回ってくるとコップが揺れ、飲料がこぼれる恐れがあることを考慮すると非常に煩わしいという問題がある。また孔縁内に挿通状に垂下させて孔縁に当接状に支承させてはいるものの、用（例えば、トイレなど）を足しに行く場合など、コップを垂下させたまま皿をテーブルに置いて行かなければならず、垂下させたコップや、特にワイングラスが垂下されている場合、基台があるためテーブルに置いたとき、不安定になるという問題がある。更に用を足して戻って来た時に自分の皿が判らなくなって探す煩わしさがあり今ひとつ不便であるという問題があった。また特許文献２に記載された立食パーティ用トレイは、皿部とコップやワイングラスを保持する空間部を有しているに過ぎず、特許文献１と同様の問題がある。
【０００６】
そこで、本発明者は、上記の問題点を種々検討し、皿のごときトレイを持ちながら移動したり、トレイにコップやワイングラスをセットすることができることは勿論のこと、コップやワイングラスを安定的に保持し、箸やスプーン及びフォークなどを安定して載置することができるばかりでなく、初めて会った会員の場合などは名札が隠れて判らない場合や自分の所有物であることがわからなくなる点を考慮して、トレイに名札等をセットできるようにすることを見出した。更にトレイをテーブルに置いて会話をする場合やトレイをテーブルに置いたまま移動して会話をする場合などがあり、このような場合にテーブルにトレイを置いておく場合にも安定して置くことができる構成を見出した。またトレイは木質紙を用いて成形する成形法の場合には、例えば、円筒部のように高さのあるトレイの成形を押し出し成形法を用いて行なうことは非常に困難であるところ、このような成形物をパルプモールド成形法で簡単かつ容易に成形することができることを見出し、ここに本発明をなすに至った。更に本発明者は、本発明の飲食物載置用トレイをプラスチックスで成形することもでき、特に好ましくは生分解性高分子を用いることによって軽量でかつ使用後、廃棄処理が可能で、土の中で分解して土に還るので、地球環境にやさしい飲食物載置用トレイが得られることを見出した。
【０００７】
したがって、本発明が解決しようとする第１の課題は、コップやワイングラスを確実にセットすることができ、かつ安定して保持することができることは勿論のこと、自分の所有物であることが即座に判り、更にコップやワイングラスなどがトレイの裏側からはみ出すことがなくテーブルに安定して置くことができる構成を有する飲食物載置用トレイを提供することにある。また本発明が解決しようとする第２の課題は、高さのある成形物を簡単かつ容易に成形することができる飲食物載置用トレイの製造方法を提供することにある。更に本発明が解決しようとする第３の課題は、廃棄処理が可能で、地球環境にやさしい飲食物載置用トレイの製造方法を提供することにある。
【課題を解決するための手段】
【０００８】
本発明の上記課題は、以下の各発明によってそれぞれ達成される。
（１）グラス状容器保持部、皿用部、調味料載置部、箸置き部及びスプーンまたはフォーク置き部から選択された少なくとも一種及び少なくとも一つのトレイ保持孔を有する飲食物載置用トレイであって、前記グラス状容器保持部はトレイ表面に有する筒状部からなり、前記皿用部には食べ物載置用凹部を有し、更に前記トレイ表面には名札支持部を有することを特徴とする飲食物載置用トレイ。
（２）前記トレイ保持孔の近傍であって、かつ前記トレイの縁部には握り部を有することを特徴とする前記第１項に記載の飲食物載置用トレイ。
（３）前記凹部の円周縁には対称的に略半円形凹部を有し、前記皿用部の凹部にはコースターが収納されていてもよいことを特徴とする前記第１項又は第２項に記載の飲食物載置用トレイ。
（４）前記皿用部の凹部には中央に円形孔を有し、該円形孔から外縁部へ延びる切込み溝を有するコースターの一種からなるワイングラス状容器支持部材が収納されていてもよいことを特徴とする前記第１項乃至第３項のいずれかに記載の飲食物載置用トレイ。
（５）前記トレイ表面には、更にグラス状容器保持部の近傍に位置する調味料載置部、グラス状容器保持部と右手用保持孔の付近に位置する箸置き部又は皿用部の右下方に位置するスプーンまたはフォーク置き部から選択された少なくとも一種を有することを特徴とする前記第１項乃至第４項のいずれかに記載の飲食物載置用トレイ。
（６）前記グラス状容器保持部の円筒部の側壁は空洞であることを特徴とする前記第１項乃至第５項のいずれかに記載の飲食物載置用トレイ。
（７）前記皿用部の形状は円形又は楕円形のいずれかであることを特徴とする前記第１項乃至第６項のいずれかに記載の飲食物載置用トレイ。
（８）前記グラス状容器保持部の形状は上部からみて円形であることを特徴とする前記第１項乃至第７項のいずれかに記載の飲食物載置用トレイ。
（９）前記トレイの形状は上部からみて円形又は楕円形のいずれかであることを特徴とする前記第１項乃至第８項のいずれかに記載の飲食物載置用トレイ。
（１０）前記名札支持部は名詞を挿入挟持する凹凸部を有することを特徴とする前記第１項乃至第９項のいずれかに記載の飲食物載置用トレイ。
（１１）前記トレイの材質は、金属、磁器、プラスチックス、これらと木質材との組合せ、木質材から選択された少なくともいずれかであることを特徴とする前記第１項乃至第１０項のいずれかに記載の飲食物載置用トレイ。
（１２）前記トレイは木質材からなり、かつ木質筒状体が固定されていることを特徴とする前記第１項乃至第１０項のいずれかに記載の飲食物載置用トレイ。
（１３）前記トレイはパルプモールド成形法によって成形することを特徴とする前記第１項乃至第１０項のいずれか又は前記第１２項に記載の飲食物載置用トレイの形成法。
（１４）前記トレイの材質がプラスチックスである場合は、プラスチック成形法によって成形することを特徴とする前記第１項乃至第１０項のいずれかに記載の飲食物載置用トレイの形成法。
【発明の効果】
【０００９】
本発明の前記（１）に記載の飲食物載置用トレイ（以下、単に「トレイ」ともいう。）は、グラス状容器保持部をトレイ表面に有する筒状部からなることにより、前記トレイを手に持つと共にこの中にグラス状容器を入れて保持することができので、食べ物を取ると共に、グラス状容器をトレイに載せて自由に移動することができるという優れた効果を奏するものである。また本発明の前記（１）に記載の飲食物載置用トレイは、トレイ表面に名札支持部を有することにより名札を首にぶら下げないでこの名札支持部に挟持してトレイを所持している会員を即座に知ることができるという優れた効果を奏するものである。
【００１０】
本発明の前記（２）に記載の飲食物載置用トレイは、前記（１）に記載の飲食物載置用トレイの効果を奏すると共に、これに加えて前記トレイ保持孔の近傍であって、かつ前記トレイの縁部には握り部を有することによりトレイが持ち易いという優れた効果を奏するものである。
【００１１】
本発明の前記（３）に記載の飲食物載置用トレイは、前記（１）又は（２）に記載の飲食物載置用トレイの効果を奏すると共に、これに加えて食べ物載置用凹部の円周縁には対称的に略半円形凹部を有すると共に前期皿用部の凹部にはコースターが収納されていてもよいことにより、コースターが収納されている場合、飲み物の入ったグラス状容器をテーブルにおいて置く必要があるときやワイングラスを使用するときなどに皿用部に収納されているコースターを取り出してテーブルに置きその上にコップを置くことができ、またワイングラスの場合にはコースターをワイングラスの棒状部に取り付けてグラス状容器保持部に収納することができる。更にこのコースターに名前を記載しておけば名前の持ち主であることが明確になり紛失することがないという優れた効果を奏するものである。
【００１２】
本発明の前記（４）に記載の飲食物載置用トレイは、前記（１）乃至（３）に記載の飲食物載置用トレイの効果を奏すると共に、これに加えてコースターが中央に円形孔を有し、該円形孔から外縁部へ延びる切込み溝を有するワイングラス状容器支持部材であることにより、ワイングラスの棒状部分をワイングラス状容器支持部材の切込み溝を通して中央部へ配置し、そのままワイングラスを円筒部内へ挿入し、円筒部の支持部で支持して固定することができるという優れた効果を奏するものである。
【００１３】
本発明の前記（５）に記載の飲食物載置用トレイは、前記（１）乃至（４）に記載の飲食物載置用トレイの効果を奏すると共に、これに加えてトレイ内にグラス状容器保持部の近傍に位置する調味料載置部、グラス状容器保持部と右手用保持孔の付近に位置する箸置き部又は皿用部の右下方に位置するスプーンまたはフォーク置き部から選択された少なくとも一種を有することにより適切な位置配置となるので、相対的に使い易いという効果を奏するばかりでなく皿用凹部に取った寿司や天婦羅などを食するときに、垂れこぼしなどにより洋服を汚染する恐れが少なく安心して食べることができ、またテーブルの上の食べ物の種類に応じて箸、スプーン又はフォークなどを適宜選択して使用することができるという優れた効果を奏するものである。
【００１４】
本発明の前記（６）に記載の飲食物載置用トレイは、前記（１）乃至（５）に記載の飲食物載置用トレイの効果を奏すると共に、これに加えてグラス状容器保持部の円筒部の側壁は空洞であることによりトレイの重量を軽くすることができ、長時間安心して保持することができるという優れた効果を奏するものである。本発明の前記（７）に記載の飲食物載置用トレイは、前記（１）乃至（６）に記載の飲食物載置用トレイの効果を奏すると共に、これに加えて皿用部の形状は円形又は楕円形のいずれかであることにより食べ物に応じて適宜選択することができるという優れた効果を奏するものである。本発明の前記（８）に記載の飲食物載置用トレイは、前記（１）乃至（７）に記載の飲食物載置用トレイの効果を奏すると共に、これに加えてグラス状容器保持部の形状は平面からみて円形であることによりコップなどが揺動することなく安定して保持することができるという優れた効果を奏するものである。
【００１５】
本発明の前記（９）に記載の飲食物載置用トレイは、前記（１）乃至（８）に記載の飲食物載置用トレイの効果を奏すると共に、これに加えてトレイの形状は平面からみて円形又は楕円形のいずれかであることにより好みに応じて適宜採用することができ、特に楕円形のトレイを使用することにより安定して保持することができるという優れた効果を奏するものである。本発明の前記（１０）に記載の飲食物載置用トレイは、前記（１）乃至（９）に記載の飲食物載置用トレイの効果を奏すると共に、これに加えて名札支持部は名詞を挿入挟持する凹凸部を有するので、この凹凸部に名詞を狭持することにより所属、役職、氏名などが一目瞭然とわかると共にトレイをテーブルの上に置いてその場を離れても戻ってきたときに簡単に自分の所有物であることが判るという優れた効果を奏するものである。また名札を首にぶら下げると同時に名詞をトレイの名札支持部に設置することによって、よりいっそう所属、役職、氏名などが判るという優れた効果を奏するものである。
【００１６】
本発明の前記（１１）に記載の飲食物載置用トレイは、前記（１）乃至（１０）に記載の飲食物載置用トレイの効果を奏すると共に、これに加えて前記トレイの材質は、金属、磁器、プラスチックス、これらと木質材との組合せ、木質材から選択された少なくともいずれかであることにより、立食パーティにおいて、トレイの使用目的に応じて適宜選択して使用することができるという優れた効果を奏するものである。特にプラスチックスを使用するときには竹チップととうもろこしの成分から造った生分解性樹脂を使用した場合には、軽くて我に食い食器やトレイが製造できるという優れた効果を奏するものである。
本発明の前記（１２）に記載の飲食物載置用トレイは、前記（１）乃至（１０）に記載の飲食物載置用トレイの効果を奏すると共に、これに加えてトレイは木質材からなりかつ木質筒状体が固定されていることによりトレイ自体が軽量になり使い易いばかりでなく使用後は使い捨てができ、更にはゴミとして焼却することもでき自然環境の保護という観点からみても好ましいという優れた効果を奏するものである。本発明の前記（１３）に記載の飲食物載置用トレイの形成法は、前記（１）乃至（１０）に記載の飲食物載置用トレイの効果を奏すると共に、これに加えてパルプモールド成形法によって成形することにより円筒部のような高さのある成形物も一体的に成形することができると共に木質パルプを使用するので、トレイ自体が軽量になり使い易いばかりでなく使用後は使い捨てができ、更にはゴミとして焼却することもでき自然環境の保護という観点からみても好ましいという優れた効果を奏するものである。本発明の前記（１４）に記載の飲食物載置用トレイの形成法は、前記（１）乃至（１０）に記載の飲食物載置用トレイの効果を奏すると共に、これに加えて前記トレイの材質がプラスチックスである場合は、プラスチック成形法、特に熱硬化性樹脂を使用するときは圧縮成形法、また熱可塑性樹脂を使用するときには射出成形法を用いることによって良好に成形することができるという優れた効果を奏すると共に、プラスチック成形法によって成形することにより円筒部のような高さのある成形物も一体的に成形することができると共にプラスチックスを使用するので、トレイ自体が軽量になり使い易いばかりでなく使用後は複数回の使用が可能であり経済的効果にも優れているばかりでなく更にはゴミとして焼却することもできるという優れた効果を奏するものである。
【図面の簡単な説明】
【００１７】
【図１】本発明の飲食物載置用トレイを示す平面図である。
【図２】図２ａは、本発明の図１の手前からみた飲食物載置用トレイを示す側面図である。図２ｂは、Ａ−Ａ線で切断した断面図である。図２ｃは、Ｂ−Ｂ線で切断した断面図である。
【図３】図３ａは、図１の右側から見た本発明の飲食物載置用トレイを示す側面図である。図３ｂは、Ｃ−Ｃ線で切断した断面図である。図３ｃは、Ｄ−Ｄ線で切断した断面図である。図３ｄは、Ｅ−Ｅ線で切断した断面図である。図３ｅは、Ｆ−Ｆ線で切断した断面図である。
【図４】図４ａは、図１の左側から見た本発明の飲食物載置用トレイを示す側面図である。図４ｂは、Ｇ−Ｇ線で切断した断面図である。
【図５】本発明の飲食物載置用トレイを左手で保持した場合を示す斜視図である。
【図６】本発明の飲食物載置用トレイを右手で保持した場合を示す斜視図である。
【図７】本発明の飲食物載置用トレイのパルプモールド成形法を示す断面図である。
【発明を実施するための形態】
【００１８】
以下、本発明について図面を用いて具体的に説明するが、本発明は、以下に説明する具体的事例に限定されるものではない。本明細書において、グラス状容器とは、コップ類、ワイングラス類であって、グラス状容器保持部に収納可能な大きさのものであれば、その大きさは特に限定されない。更にコップ類は木質材、例えば紙コップ等でもよい。図１乃至図４において、本発明の飲食物載置用トレイＩは、グラス状容器保持部８、皿用部２及び少なくとも一つのトレイ保持孔１０を有する飲食物載置用トレイＩからなり、このトレイの材質は金属、磁器、プラスチックス、これらと木質材との組合せから選択された少なくともいずれかであってもよい。木質材としては、例えば不織状紙、パルプモールド製、厚紙等でよく、特に材質は限定されない。しかし、使い捨て用として使用する場合には不織状紙、パルプモールド製、厚紙等が好ましい。
【００１９】
前記グラス状容器保持部８はトレイ表面１に有する筒状部８ａからなり、前記皿用部２には食べ物載置用凹部５を有し、更に前記トレイ表面１には名札支持部１３、１３を有することを特徴とする。即ち、図１の平面図において、本発明の飲食物載置用トレイＩにトレイの表面には、グラス状容器保持部８が左方に有し、また皿用部２は右方向の適宜の位置に有する。保持孔１０の形状は円形又は楕円形であり、好ましくは円形に近い楕円形である。右手用保持孔１０ａは、グラス状容器保持部８の上方に位置し、また左手用保持孔１０ｂは、皿用部２の下方に位置する。更に調味料載置部１４はグラス状容器保持部８の近傍にあり、具体的にはグラス状容器保持部８の下方に設けることが好ましい。箸置き部１２はグラス状容器保持部８と右手用保持孔の付近に設けるのが好ましく、更にスプーン又はフォーク等は、皿用部２の右下方に設けるのが好ましい。
【００２０】
名札支持部１３、１３はグラス状容器保持部８の左上方のスペースに設けるが、設ける場所は特に限定されるものではなく、トレイを右手で保持する場合には、皿用部２のあるトレイの縁へ設けても良いことは言うまでもない。本発明の飲食物載置用トレイＩは、トレイの周囲には土手部１５を有することによってトレイが補強されている。また右手用保持孔、左手用保持孔及び調味料載置部には囲い又は土手を有し、食べ物から出る液がその囲いから浸出するのを防止する。更に右手用保持孔１０ａ、左手用保持孔１０ｂの周囲に有する土手１６、１６はそれぞれトレイを保持した場合の保持孔の補強のために設けられている。
【００２１】
更にトレイに設けられた各要部について説明すると、グラス状容器保持部８は、図２のｂからみて明らかなように、円筒部８ａからなり、円筒部８ａの壁は、空洞とし、成形、例えば、パルプモールド成形法により一体形成するのが好ましい。しかし、円筒部を除いて型押成形などでトレイを成形し、その後軽量な紙材質で円筒部を形成し、前記トレイの設置場所に該木質円筒部を接着剤等で固定してもよく、その際、木質円筒壁は中蜜であってもよい。ここでグラス状容器とは通常のコップ、ワイングラス等を意味して使用しているが、この筒体に入るものであれば、特に限定されるものではない。筒の高さは２０ｍｍ〜７０ｍｍであり、好ましくは５０ｍｍ〜６０ｍｍである。また円筒部８ａの開口部にはワイングラス状容器支持部材（例えばコースター等）３を支持する段差からなる支持部９を有している。皿用部２は食べ物を載せる円形状の皿用凹部５を有しており、この形状は円形に限らず楕円形やその他の形状であってもよい。これにより汁又は液のでるような食べ物を載せた場合、その汁又は液が凹部から流れ出ないという利点がある。また皿用部２はワイングラス状容器支持部材３が収納可能であり、このワイングラス状容器支持部材３には、その中央部に円形孔を有し、該円形孔から外縁部へ延びる切込み溝を有している。この切込み溝７を通してワイングラスの棒状部１９ａを挿入したまま使用する。食べ物を食べるときなどはワイングラスをテーブルに置かないで、グラス状容器保持部８にそのまま嵌入しておく。これによりグラス状容器保持部８の支持部９にワイングラスに取り付けてあるワイングラス状容器支持部材３が当接してワイングラスがぐらぐらすることなく安定して保持することができる。皿用部２は円形にかぎらず、楕円形でも丸みのある角を有する方形でもよい。また皿用部２には、周縁に対称的に半円形の凹部が設けられているが、これは皿用部２に収納してあるワイングラス状容器支持部材３を容易に取り出すことができるように設けられている。
【００２２】
調味料載置部１４は、図３のｃから明らかなように、縁部が略垂直の壁１６ｂからなる凹部形状であり、ここに、醤油、わさびなど好みに応じて適宜注入乃至載置することができる。箸置き部１２は二つの平行な突起で形成され、これらの間に箸を挿入するもので、これにより安定して箸を置くことができる。またスプーン又はフォーク置き部１１は、半球状突起からなり、この上にスプーン又はフォークを被せるように置く。しかしながら、箸置き部１２やスプーン又はフォーク置き部１１は、特にこの配置に限定されるものではなくトレイ１の適宜の位置のスペースに設けることができる。名札支持部１３、１３は、それぞれ半円球状からなり、これらの半円球の中心を通って平行にスリット又は溝部１７を有している。このスリットに名札又は名詞を備えることができる。この場合、名前側を外側にして狭持することはいうまでもない。更に本発明のトレイの右手用保持孔１０ａと左手用保持孔１０ｂの近傍にそれぞれ右手用握り部１０ｃと左手用握り部１０ｄを有しており、これを設けることにより安定して確実にトレイを保持することができる。トレイの形状は上部からみて円形又は楕円形が好ましいが、安定性の面からみると楕円形が好ましい。
【００２３】
図５には、本発明のトレイＩの使用方法が示されている。図５のＩＩに示される如く、トレイの左手用保持孔１０ｂを使用して左手でトレイを保持した例が示されている。この例ではコップ１８をグラス状容器保持部８に収納し、皿用部２の皿用凹部５には食べ物２６、例えば寿司が載置されている。調味料載置部１４には寿司のための醤油が注がれている。また箸置き部１２には箸２４が置かれている。更にトレイにはトレイが誰のものかが明確にわかるように名詞が備え付けられている。もちろん、名札でもよく、名札と名詞の両方を用い、名詞はトレイに取り付け、名札は首に吊るしてもよい。本発明の左手用保持用トレイＩＩは、左手用保持孔１０ｂに左手２０の親指２２ａを挿入し、人差し指２２ｂで握り部２６ｂを握ることにより安定して持っていることができる。
【００２４】
図６のＩＩＩには、トレイの右手用保持孔１０ａを使用して右手でトレイを保持した例が示されている。この例ではコップ１８の代わりにワイングラス１９の棒状部１９ａをワイングラス状容器支持部材３の中央部に切込溝７を通して嵌入し、この状態でグラス状容器保持部８に収納し、皿用部２の皿用凹部５には食べ物２６、例えばチーズが載置されている。調味料載置部１４には必要な調味料が注がれている。またスプーン又はフォーク置き部１１にはフォーク２５が置かれている。更にトレイにはトレイが誰のものかが明確にわかるように名詞が設けられている。もちろん、名札でもよく、名札と名詞の両方を用い、名詞はトレイに取り付け、名札は首に吊るしてもよい。本発明の左手用保持用トレイＩＩＩは、右手用保持孔１０ａに右手２１の親指２２ａを挿入し、人差し指２２ｂで握り部２６ａを握ることにより安定して持っていることができる。
【００２５】
本発明に用いられる飲食物載置用トレイの製造方法は、一般的には公知であり、一体的に成形法を用いて成形することができるが、木質紙でトレイの円筒部のない形状を通常の金型成形法で成形し、別途、木質紙で接着部を有する円筒部を形作り（又は形成し）、トレイの表面にこの円筒部を接着部を介して接着することにより製作することもできる。好ましくはパルプモールド成形法で一体的に製作するのが好ましい。即ち、表面に吸引又は脱水孔を有する金型面と裏面に吸引口を有する中空の金型とその表面に金型の成形表面の凹凸に対応した凹凸を有する金網を有し、金型の吸引口から吸引すると共に、スプレーガンでパルプ分散液を金網に向けて噴霧して形状に沿ってパルプを蓄積させ、ついで加熱乾燥し、その後加圧するかあるいは加熱と加圧とを同時に行うかのいずれかであるパルプモールド成形法である。このパルプモールド成形法は特許請求の範囲に記載されたパルプモールド成形法を意味する。具体的には図７にパルプモールド成形法の概略を一例として示すが、この図７はパルプモールド成形法を説明するためのものであって、これに限定されるものではない。図７において、表面に略均一に設けられた空気吸引用孔２８ａと裏面に吸引口３１を有する中空の金型２８を用いる。更に金型表面には凹凸に対応した金網２９が設けられている。まずパルプ分散液を金網２９へ吹き付けかつ吸引口３１で吸引すると、空気の流れは金網２９を通って金型表面の吸引孔又は脱水孔２８ａによって吸引される。この際、パルプ分散液中のパルプは金網２９の表面に蓄積し液のみが空気と共に金型２８内へ流入し排泄される。このようにして金網２９の表面に蓄積したパルプを乾燥し、金網２９から分離する。更に必要に応じて金網２９の表面に蓄積したパルプを乾燥した後、その表面をプレスして表面を加熱し加圧して固化するとその表面は滑らかになる。また加熱と加圧を同時にしてもよい。ここで、加熱温度は１２０℃〜２５０℃が好ましく、更に好ましくは１２０℃〜１８０℃がよい。パルプ分散液のパルプ濃度は、１〜４％が好ましく、更に好ましくは２〜３％である。４％を超える濃度の場合にはスプレーガンの目が詰まる恐れがあり好ましくない。また１％より小さいと金網表面に蓄積するパルプ量が少なくパルプ繊維の蓄積に時間がかかるばかりでなく作業時間や経費がかかるので好ましくない。
【００２６】
パルプ分散液に使用するパルプとしては、特に限定されるものではないが、製紙工程で用いられるパルプスラリー、メカニカルパルプ、ケミカルパルプ、バガス（サトウキビの搾りかず）、竹パルプ、竹チップ等が用いられる。本発明に用いられるパルプ分散液には必要に応じて防水材、防油剤、サイズ剤、充填剤、視力増強剤等を添加してもよい。更に成形後の飲食物載置用トレイの表面にポリエチレンやポリプロプレン等の樹脂をコーティングして耐水性、強度を付与してもよい。更に前記トレイの材質がプラスチックスである場合は、プラスチック成形法によって成形する。プラスチック成形法は、一般的に公知であるが、具体的には、熱硬化性樹脂、熱軟化性樹脂のいずれでもよい。成形法としては、圧縮成形法、移送成形法、射出成形法、押出成形法、吹込成形法などがあるが、熱硬化性樹脂〔メラミン樹脂、ガラス繊維強化プラスチック（ＦＲＰ）など〕を使用するときには、圧縮成形法が好ましく、また熱軟化性樹脂〔ポリプロピレン、アクリルニトリル・ブタジエン・スチレン樹脂（ＡＢＳ樹脂）など〕を用いる場合は、射出成形法が好ましい。
【００２７】
実施例
横２９０ｍｍ×縦２１０ｍｍの楕円形トレイからなり、円筒部８ａの底部は外部直径９５０ｍｍ、内部直径７００ｍｍ、また皿用凹部５及び左手用保持孔１０ａを有する飲食物載置用トレイＩを作製した。飲食物載置用トレイＩに対応した凹凸部を有し、かつその表面に均一な吸引又は脱水孔２８ａを有する吸引用金型２８を作製した。またこの金型２８の表面に対応した凹凸を有する金網２９を作製し配置した。別途、２％濃度の製紙用パルプの分散液を作製した。ついで、金型の吸引口３１に接続したコンプレッサーにより吸引すると共に、スプレーガンにより金網表面にパルプ分散液を噴霧し、得られた厚みが３ｍｍの積層体を２３０℃で加熱乾燥した。ついで加圧プレスで加圧して厚みが２ｍｍの表面が滑らかな飲食物載置用トレイＩを得た。
【産業上の利用可能性】
【００２８】
本発明の飲食物載置用トレイは、グラス状容器保持部、皿用部及び少なくとも一つのトレイ保持孔を有する飲食物載置用トレイにおいて、前記グラス状容器保持部はトレイ表面に有する筒状部にはグラス状容器、例えば、コップを挿入して保持することができ、またワイングラスなどの場合には本発明のコースター、即ちワイングラス状容器支持部材の縁部から中央孔への切込溝にワイングラスの棒状部を挿入して中央孔にワイングラスを保持し、更にグラス状容器保持部に設置した後、コースターを円筒部の支持部で支持することができ、したがって、グラス状容器を極めて安定して保持することができる。更に前記トレイ表面には名札支持部を有することによって、名札と異なり障害物により隠れることなく飲食物載置用トレイを所持している人が誰であるかが一目瞭然にわかるばかりでなく、テーブルに飲食物載置用トレイを置いてその場を離れても戻ってきたときにトレイの所在が特に探すことなく明確にわかるという優れた効果を奏するものであり、更にまたトレイの材質が木材質の成形によりできているので、地球環境に好ましい天然資源の利用という点でも今後ますます注目され、極めて高い産業上の利用性を有しているものである。また本発明の飲食物載置用トレイは、パルプモールド成形法により用意に作製することができるばかりでなく化石原材料を使用することがないので、地球温暖化防止のために、今後ますます産業上の利用性が高まるものと期待されるものである。
【符号の説明】
【００２９】
１  飲食用トレイ表面
２  皿用部
３  ワイングラス状容器支持部材
４  凹部
５  皿用凹部
６  中央孔
７  グラス挿入切込溝
８  グラス状容器保持部
８ａ  円筒部
９  支持部
１０  保持孔
１０ａ  右手用保持孔
１０ｂ  左手用保持孔
１１  スプーン又はフォーク置き部
１２  箸置き部
１３  名札支持部
１４  調味料載置部
１５  縁土手部
１６  囲い部又は土手部
１７  溝部
１８  容器
１９  ワイングラス状容器
１９ａ  棒状部
２０  左手
２１  右手
２２ａ  親指
２２ｂ  人差し指
２３  名詞又は名札
２４  箸
２５  フォーク
２６  握り部
２６ａ  右手用握り部
２６ｂ  左手用握り部
２７  食べ物
２８  パルプモールド成形用金型
２８ａ  金型表面の空気吸引孔
２９  金網
３０  パルプモールド成形体（飲食物載置用トレイ）
３１  吸引口
３２  スプレーガン（噴霧ノズル）
３３  パルプ分散液
Ｉ  飲食物載置用トレイ
ＩＩ  左手で保持した場合
ＩＩＩ  右手で保持した場合
【図１】
2013233405.tif 000003
【図２】
2013233405.tif 000004
【図３】
2013233405.tif 000005
【図４】
2013233405.tif 000006
【図５】
2013233405.tif 000007
【図６】
2013233405.tif 000008
【図７】
2013233405.tif 000009